(57)【要約】【課題】本発明は、編成時には一重編みで併走する２つの模様部を構成し、編成後に一方を他方に重ねるだけでアイロンコテなどを使わなくても二つ折りでき、最初から模様部を二重編みしたと同様の形態になる二つ折り可能なトーションレース地を提供する。【解決手段】本願二つ折り可能なトーションレース地は、第１模様部と第２模様部とを並走させ、該第１模様部の内縁に沿って間欠して編成した直線部に、前記第２模様部の内縁に沿って編成した輪部を係留させることにより、直線部と輪部とをヒンジとして二つ折りできるようにした。また、前記直線部を構成する糸又はこれに沿わせる糸にゴム糸を使用し、ゴム糸の作用により縮んで２つの模様部がフリル状に重なるようにした。さらに、第１模様部と第２模様部のうちの一方が、他方に対して幅狭にして共に存在感を示せるように構成した。【選択図】図１
2010202989.tif 000002
【特許請求の範囲】
【請求項１】
第１模様部と第２模様部とを並走させ、該第１模様部の内縁に沿って間欠して編成した直線部に、前記第２模様部の内縁に沿って編成した輪部を係留させたことを特徴とする二つ折り可能なトーションレース地。
【請求項２】
前記直線部が、構成糸中に緊張した状態でゴム糸を挿入してなることを特徴とする請求項１に記載の二つ折り可能なトーションレース地。
【請求項３】
前記第１模様部と第２模様部のうちの一方が、他方に対して幅狭になっていることを特徴とする請求項１又は２に記載の二つ折り可能なトーションレース地。
【発明の詳細な説明】
【技術分野】
【０００１】
本発明は、編成後に模様部を二つ折りして二重編みしたと同様に使用できる二つ折り可能なトーションレース地に関するものである。
【背景技術】
【０００２】
一般に、トーションレース機は、環状に配したロータメタルを回転（１８０度の自転）しつつ円周に沿ってシューを移送（公転）し、該シューに搭載したボビンから引き出した糸を、環状中心に備えた円筒部に集めて筬打ちして円筒状のレースを作り出し、筬打ち後に、順次、挟圧ローラを通して細幅で扁平なレースとして巻取ドラムに巻き取るようになっている。
【０００３】
上記トーションレース機のうち、ボビン数の多いものを使えば、模様部を二重に編成することは組織設計上問題であり可能であるが、模様部を一重編みで編成し、編成後に模様部を幅方向に二つ折りすれば、最初から模様部を二重に編成する必要がない。
【発明の開示】
【発明が解決しようとする課題】
【０００４】
しかしながら、模様部を一重編みで編成し、編成後に模様部を二つ折りしてするには、アイロンコテなどを使って曲げ癖を付けて衣類の袖口や裾縁を飾らなればならず、面倒さを伴ったし、模様部に組織上の不自然さが残った。
【０００５】
本発明は、上記の点に鑑み案出したもので、その目的とするところは、編成時には一重編みで併走する２つの模様部を構成し、編成後に併走した一方を他方に重ねるだけでアイロンコテなどを使わなくても二つ折りでき、最初から模様部を二重編みしたと同様の形態になる二つ折り可能なトーションレース地を提供することにある。
【課題を解決するための手段】
【０００６】
上記の目的を達成するため、本発明に係る二つ折り可能なトーションレース地は、第１模様部と第２模様部とを並走させ、該第１模様部の内縁に沿って間欠して編成した直線部に、前記第２模様部の内縁に沿って編成した輪部を係留させたことを特徴とし、直線部とこれに係留する輪部とをヒンジとして２つの模様部が綺麗に二つ折りできるように構成した。
【０００７】
また、請求項２に記載した発明に係る二つ折り可能なトーションレース地は、前記直線部が、構成糸中に緊張した状態でゴム糸を挿入してなることを特徴とし、緊張解除後にヒンジ軸となる直線部がゴム糸の作用により縮んで２つの模様部がフリル状に重なるように構成した。
【０００８】
さらに、請求項３に記載した発明に係る二つ折り可能なトーションレース地は、前記第１模様部と第２模様部のうちの一方が、他方に対して幅狭になっていることを特徴とし、直線部とこれに係留する輪部とをヒンジとして幅広の模様部の上に、幅狭の模様部を重ねたときに共に存在感を示せるように構成した。
【発明の効果】
【０００９】
本発明に係るトーションレース地は、第１模様部と第２模様部とを並走させ、該第１模様部の内縁に沿って間欠して編成した直線部に、前記第２模様部の内縁に沿って編成した輪部を係留させたことを特徴としているから、直線部とこれに係留する輪部とをヒンジとして模様部が容易に二つ折りでき、衣類の袖口や裾縁などを飾る加工時においてアイロンコテなどを使わなくてもよく、加工上の面倒さがない上に、模様部に組織上の不自然さも生じない。しかも、下側になる模様部側をヒンジに沿って衣類の袖口や裾縁などに縫い付けると、上側に被さる模様部によって縫い糸が隠され、縫い付け部分が現れず、衣類の袖口や裾縁などを綺麗に飾ることができるという各種の優れた効果を奏するものである。
【００１０】
また、請求項２に記載した発明は、前記直線部が、構成糸中に緊張した状態でゴム糸を挿入してなることを特徴としているから、緊張解除後にヒンジ軸となる直線部がゴム糸の作用により縮んで２つの模様部がフリル状に重なり、衣類の袖口や裾縁などをより綺麗に飾ることができるという優れた効果を奏するものである。
【００１１】
さらに、請求項３に記載した発明は、前記第１模様部と第２模様部のうちの一方が、他方に対して幅狭になっていることを特徴としているから、直線部とこれに係留する輪部とをヒンジとして幅広の模様部の上に、幅狭の模様部を重ねたときに共に存在感が示せ、一方が他方に隠れてしまうことがないという優れた効果を奏するものである。
【発明を実施するための最良の形態】
【００１２】
次に、本発明の実施の態様を添付図面に基づいて説明する。図１は本願トーションレース地の略示的平面図、図２はヒンジから模様部を二つ折りした場合の略示的平面図、図３はヒンジ軸が直線部に挿入したゴム糸により縮んだ状態の斜視図、図４は本願トーションレース地の他の例を示す断面図である。
【００１３】
本願トーションレース地１は、図１の如く、第１模様部２と第２模様部３とを並走させて編成してなる。この場合、第１模様部２と第２模様部３がそれぞれ使用するボビン数によっては、あるいはトーションレース機の大きさ（ボビン数で決まる）によっては第１模様部２と第２模様部３とを一レースとして、捨て糸（図示せず）を使って複数レースを円筒状に編むことも可能である。
【００１４】
前記第１模様部２の内縁に沿って間欠して直線部４を編成し、該直線部４に前記第２模様部３の内縁に沿って編成した輪部５を係留させている。換言すれば、前記第１模様部２の直線部４と、これをヒンジ軸として係留している第２模様部３の輪部５とにより本願トーションレース地１を二つ折りするためのヒンジ部となっている。該ヒンジ部となる直線部４は第２模様部３の内縁に沿って編成してもよいし、輪部５は第１模様部２の内縁に沿って編成してもよいことは勿論である。いずれにしても、本願トーションレース地１は直線部４と輪部５からなるヒンジ部を中心に、図２の如く、二つ折り可能になっている。
【００１５】
前記直線部４はその構成糸、或いは構成糸と平行乃至絡めてゴム糸６を挿入している。該ゴム糸６はトーションレース機にて編成している状態では緊張状態にあるが、編成後本願トーションレース地１を機械から降ろして緊張状態を解除した後は直線部４が縮まり、図３の如く、２つ折りした第１模様部２と第２模様部３の外縁がフリル状の襞（波うち）７が形成され、互いに密接しない状態で重なり、高いファッション性が得られるようになる。
【００１６】
前記第１模様部２と第２模様部３のうちの一方（例えば第１模様部）が、他方（例えば第２模様部）に対して幅狭になっている。すなわち、図上では、第１模様部２の横幅ａが第２模様部３の横幅ｂより狭くなっているから、前記直線部４と輪部５との係留部をヒンジとして第１模様部２が第２模様部３の上に重なるように二つ折りされる。この場合でも横幅の差（ｂ−ａ）があるため、その差分だけ、下側の模様部が上側の模様部によって隠されることがなく露出し、共に存在感が示せるものとなる。
【００１７】
前記下側になる第１模様部２側を、衣類（図示せず）の袖口や裾部に縫着するに際し、前記ヒンジに沿って縫い付けると、その縫着線（縫い糸）が上側になる第２模様部３によって隠されることとなり、人の目に晒されることがなく、衣類の袖口や裾縁などを綺麗に仕上げることができる。
【００１８】
前記第２模様部３を、図４の如く、２層に断面Ｙ型状に編成し、ヒンジ部を介して第１模様部２を併走させることもある。かかる場合において、ヒンジ軸（直線部４）に前述ノ如くゴム糸を挿入しておけば、各第２模様部３がそれぞれ縫代部３に編成方向に沿って挿入したゴム糸４に並走させたゴム糸５を適所ごとに各層の模様部２に位置をずらして編み込み、かつ戻すと、各層の第１模様部２の外縁がそれぞれフリル状の襞を形成し、より高いファッション性が得られるようになる。
【００１９】
勿論、図示していないが、前記第２模様部３に加え、前記第１模様部２も２層の断面Ｙ型状）に編成することも可能である。かかる場合において、各模様部の横幅を下側から順に変化を持たせておけば、より有効である。
【００２０】
前記ゴム糸６としては、ポリウレタンゴム糸、弾性芯糸に非弾性糸をカバーリングしてなるカバードヤーン、ストレッチヤーンその他がある。
【産業上の利用可能性】
【００２１】
本願トーションレース地１は、第１模様部２と第２模様部３とを並走させて一重編みにて編んだ後、模様部を二つ折りして二重編みしたと同様に使用でき、組織設計も楽になる上に衣類の袖口や裾縁を飾るときもアイロンコテなどを使って曲げ癖を付ける面倒さもなく、模様部の組織上の不自然さも残さず、産業上の利用可能性は高いものである。
【図面の簡単な説明】
【００２２】
【図１】本願トーションレース地の略示的平面図である。
【図２】ヒンジから模様部を二つ折りした場合の略示的平面図である。
【図３】ヒンジ軸が直線部に挿入したゴム糸により縮んだ状態の斜視図である。
【図４】本願トーションレース地の他の例を示す断面図である。
【符号の説明】
【００２３】
１  本願トーションレース地
２  第１模様部
３  第２模様部
４  直線部（ヒンジ軸）
５  輪部
６  ゴム糸
７  襞
【図１】
2010202989.tif 000003
【図２】
2010202989.tif 000004
【図３】
2010202989.tif 000005
【図４】
2010202989.tif 000006